(57)【特許請求の範囲】
【請求項１】
入射した放射線量に応じた画素信号を各々出力する二次元配列された複数の放射線検出素子を有する放射線検出部と、
前記複数の放射線検出素子から出力された前記画素信号を相関二重サンプリングにより抽出する信号抽出部と、
直流電圧が入力される回路の構成を所定の切替周波数で切り替えることにより、入力された直流電圧を所定の電源電圧に変換して出力する電圧変換部と、
前記相関二重サンプリングにおけるサンプリング間隔が互いに異なる複数の動作モードで前記信号抽出部を動作させ、前記信号抽出部が前記複数の動作モードのうち何れの動作モードで動作している期間においても、前記切替周波数に対する前記信号抽出部の利得を、１よりも小さい所定の上限利得以下に制御する制御部と、
を備えることを特徴とする放射線画像撮影装置。
【請求項２】
前記放射線検出部は、第１の方向に延在する複数の走査線、及び前記第１の方向と交差する第２の方向に延在する複数の信号線を有し、
前記複数の放射線検出素子の各々は、前記複数の走査線の何れか一つ及び前記複数の信号線の何れか一つと接続され、
前記制御部は、
前記信号抽出部の動作モードに対応する選択周期で前記複数の走査線に対して順に所定の選択信号を供給することにより、当該選択信号が供給された走査線に接続されている前記放射線検出素子から前記信号線に前記画素信号を出力させ、
前記信号抽出部が前記一の動作モードで動作している期間における前記切替周波数は、前記一の動作モードに対応する前記選択周期に係るナイキスト周波数よりも大きい
ことを特徴とする請求項１に記載の放射線画像撮影装置。
【請求項３】
前記制御部は、前記信号抽出部を前記複数の動作モードのうち何れの動作モードで動作させる場合においても、前記電圧変換部により同一の前記切替周波数で前記回路の構成の切り替えを行わせることを特徴とする請求項１又は２に記載の放射線画像撮影装置。
【請求項４】
前記制御部は、前記信号抽出部の動作モードを切り替える場合に、切り替え後の動作モードにおける前記利得が前記上限利得以下となるように前記電圧変換部における前記切替周波数を調整することを特徴とする請求項１又は２に記載の放射線画像撮影装置。
【請求項５】
前記制御部は、前記信号抽出部の動作モードを切り替える場合に、切り替え後の動作モードにおける前記利得が前記上限利得以下となり、かつ、前記切替周波数が、前記切り替え後の動作モードに対応する前記選択周期に係るナイキスト周波数よりも大きくなるように、前記電圧変換部における前記切替周波数を調整することを特徴とする請求項２に記載の放射線画像撮影装置。
【請求項６】
前記複数の動作モードに対応付けられて予め定められた複数の前記切替周波数を記憶する記憶部を備え、
前記制御部は、前記信号抽出部の動作モードを切り替える場合に、前記記憶部を参照して、前記切り替え後の動作モードに対応付けられた前記切替周波数を選択する
ことを特徴とする請求項４又は５に記載の放射線画像撮影装置。
【請求項７】
前記制御部は、前記切り替え後の動作モードにおける前記サンプリング間隔に基づいて、当該切り替え後の動作モードにおける前記利得が前記上限利得以下となる前記切替周波数を算出することを特徴とする請求項４又は５に記載の放射線画像撮影装置。
【請求項８】
前記制御部は、前記信号抽出部が切り替え前の動作モードで動作している期間における前記切替周波数に対し、前記切り替え後の動作モードにおける前記利得を算出し、当該算出された利得が前記上限利得よりも大きい場合に、前記切り替え後の動作モードにおける前記利得が前記上限利得以下となる前記切替周波数を算出することを特徴とする請求項７に記載の放射線画像撮影装置。
【請求項９】
前記制御部は、前記切り替え後の動作モードにおける前記サンプリング間隔と前記切替周波数との積が整数に近付くように前記切替周波数を調整することを特徴とする請求項７又は８に記載の放射線画像撮影装置。
【請求項１０】
前記制御部は、前記切り替え後の動作モードにおける前記サンプリング間隔、及び当該切り替え後の動作モードに対応する前記選択周期に基づいて、当該切り替え後の動作モードに対応する前記切替周波数を算出することを特徴とする請求項５に記載の放射線画像撮影装置。
【請求項１１】
前記信号抽出部による前記画素信号の抽出結果に基づいて放射線画像の画像データを生成する画像データ生成部を備え、
前記制御部は、
前記画像データ生成部により静止画の放射線画像の画像データを生成させる静止画撮影モードにおいて、前記複数の動作モードのうち所定の第１の動作モードで前記信号抽出部を動作させ、前記画像データ生成部により放射線画像の画像データを連続して生成させる連続撮影モードにおいて、前記複数の動作モードのうち前記サンプリング間隔が前記第１の動作モードにおけるサンプリング間隔よりも小さい第２の動作モードで前記信号抽出部を動作させ、
前記静止画撮影モードと前記連続撮影モードとを切り替える場合に、前記信号抽出部の動作モードを切り替える
ことを特徴とする請求項１〜１０の何れか一項に記載の放射線画像撮影装置。
【発明の詳細な説明】
【技術分野】
【０００１】
本発明は、放射線画像撮影装置に関する。
【背景技術】
【０００２】
従来、被検体を介して照射されたＸ線等の放射線を二次元配列された放射線検出素子により検出して、当該検出結果から被検体の診断に用いられる放射線画像の画像データを生成する放射線画像撮影装置がある。放射線画像撮影装置における放射線画像の画像データの生成は、例えば、入射した放射線量に応じて放射線検出素子から出力された画素信号を相関二重サンプリングにより抽出し、当該抽出された信号をデジタル信号に変換することにより行われる。ここで、相関二重サンプリングにおけるサンプリング間隔は、放射線画像の撮影条件に応じて適宜変更することができる。例えば、放射線画像を連続撮影する場合におけるサンプリング間隔は、放射線画像に係る画像データの生成処理時間を短縮させるために、静止画を撮影する場合におけるサンプリング間隔よりも小さく設定される。
【０００３】
また、放射線画像撮影装置は、入力された直流電圧を所定の電源電圧に変換して出力するＤＣ−ＤＣコンバーターを備え、当該変換後の電源電圧により放射線検出素子及びその駆動回路などの各部が動作する構成とすることができる。ここで、ＤＣ−ＤＣコンバーターとしては、コイル及びダイオードを組み合わせた回路に対する直流電圧の供給と停止をスイッチング素子によって所定の切替周波数で切り替えることで電圧を変換する方式のものが用いられる（例えば、特許文献１）。
【先行技術文献】
【特許文献】
【０００４】
【特許文献１】特開２００２−３４１０４３号公報
【発明の概要】
【発明が解決しようとする課題】
【０００５】
しかしながら、上記従来の放射線画像撮影装置では、相関二重サンプリングを行う信号抽出部において相関二重サンプリングのサンプリング間隔が変更されると、当該信号抽出部における周波数に応じた信号の利得が変動するため、変更後のサンプリング間隔によっては、ＤＣ−ＤＣコンバーターの動作に起因して生じる切替周波数のノイズが信号抽出部において増幅される。この結果、信号抽出部により抽出された信号に含まれる切替周波数のノイズが増大して放射線画像の画質が低下するという課題がある。
【０００６】
この発明の目的は、より安定して放射線画像におけるノイズの発生を抑制することができる放射線画像撮影装置を提供することにある。
【課題を解決するための手段】
【０００７】
上記目的を達成するため、請求項１に記載の放射線画像撮影装置の発明は、
入射した放射線量に応じた画素信号を各々出力する二次元配列された複数の放射線検出素子を有する放射線検出部と、
前記複数の放射線検出素子から出力された前記画素信号を相関二重サンプリングにより抽出する信号抽出部と、
直流電圧が入力される回路の構成を所定の切替周波数で切り替えることにより、入力された直流電圧を所定の電源電圧に変換して出力する電圧変換部と、
前記相関二重サンプリングにおけるサンプリング間隔が互いに異なる複数の動作モードで前記信号抽出部を動作させ、前記信号抽出部が前記複数の動作モードのうち何れの動作モードで動作している期間においても、前記切替周波数に対する前記信号抽出部の利得を、１よりも小さい所定の上限利得以下に制御する制御部と、
を備えることを特徴としている。
【０００８】
請求項２に記載の発明は、請求項１に記載の放射線画像撮影装置において、
前記放射線検出部は、第１の方向に延在する複数の走査線、及び前記第１の方向と交差する第２の方向に延在する複数の信号線を有し、
前記複数の放射線検出素子の各々は、前記複数の走査線の何れか一つ及び前記複数の信号線の何れか一つと接続され、
前記制御部は、
前記信号抽出部の動作モードに対応する選択周期で前記複数の走査線に対して順に所定の選択信号を供給することにより、当該選択信号が供給された走査線に接続されている前記放射線検出素子から前記信号線に前記画素信号を出力させ、
前記信号抽出部が前記一の動作モードで動作している期間における前記切替周波数は、前記一の動作モードに対応する前記選択周期に係るナイキスト周波数よりも大きい
ことを特徴としている。
【０００９】
請求項３に記載の発明は、請求項１又は２に記載の放射線画像撮影装置において、
前記制御部は、前記信号抽出部を前記複数の動作モードのうち何れの動作モードで動作させる場合においても、前記電圧変換部により同一の前記切替周波数で前記回路の構成の切り替えを行わせることを特徴としている。
【００１０】
請求項４に記載の発明は、請求項１又は２に記載の放射線画像撮影装置において、
前記制御部は、前記信号抽出部の動作モードを切り替える場合に、切り替え後の動作モードにおける前記利得が前記上限利得以下となるように前記電圧変換部における前記切替周波数を調整することを特徴としている。
【００１１】
請求項５に記載の発明は、請求項２に記載の放射線画像撮影装置において、
前記制御部は、前記信号抽出部の動作モードを切り替える場合に、切り替え後の動作モードにおける前記利得が前記上限利得以下となり、かつ、前記切替周波数が、前記切り替え後の動作モードに対応する前記選択周期に係るナイキスト周波数よりも大きくなるように、前記電圧変換部における前記切替周波数を調整することを特徴としている。
【００１２】
請求項６に記載の発明は、請求項４又は５に記載の放射線画像撮影装置において、
前記複数の動作モードに対応付けられて予め定められた複数の前記切替周波数を記憶する記憶部を備え、
前記制御部は、前記信号抽出部の動作モードを切り替える場合に、前記記憶部を参照して、前記切り替え後の動作モードに対応付けられた前記切替周波数を選択する
ことを特徴としている。
【００１３】
請求項７に記載の発明は、請求項４又は５に記載の放射線画像撮影装置において、
前記制御部は、前記切り替え後の動作モードにおける前記サンプリング間隔に基づいて、当該切り替え後の動作モードにおける前記利得が前記上限利得以下となる前記切替周波数を算出することを特徴としている。
【００１４】
請求項８に記載の発明は、請求項７に記載の放射線画像撮影装置において、
前記制御部は、前記信号抽出部が切り替え前の動作モードで動作している期間における前記切替周波数に対し、前記切り替え後の動作モードにおける前記利得を算出し、当該算出された利得が前記上限利得よりも大きい場合に、前記切り替え後の動作モードにおける前記利得が前記上限利得以下となる前記切替周波数を算出することを特徴としている。
【００１５】
請求項９に記載の発明は、請求項７又は８に記載の放射線画像撮影装置において、
前記制御部は、前記切り替え後の動作モードにおける前記サンプリング間隔と前記切替周波数との積が整数に近付くように前記切替周波数を調整することを特徴としている。
【００１６】
請求項１０に記載の発明は、請求項５に記載の放射線画像撮影装置において、
前記制御部は、前記切り替え後の動作モードにおける前記サンプリング間隔、及び当該切り替え後の動作モードに対応する前記選択周期に基づいて、当該切り替え後の動作モードに対応する前記切替周波数を算出することを特徴としている。
【００１７】
請求項１１に記載の発明は、請求項１〜１０の何れか一項に記載の放射線画像撮影装置において、
前記信号抽出部による前記画素信号の抽出結果に基づいて放射線画像の画像データを生成する画像データ生成部を備え、
前記制御部は、
前記画像データ生成部により静止画の放射線画像の画像データを生成させる静止画撮影モードにおいて、前記複数の動作モードのうち所定の第１の動作モードで前記信号抽出部を動作させ、前記画像データ生成部により放射線画像の画像データを連続して生成させる連続撮影モードにおいて、前記複数の動作モードのうち前記サンプリング間隔が前記第１の動作モードにおけるサンプリング間隔よりも小さい第２の動作モードで前記信号抽出部を動作させ、
前記静止画撮影モードと前記連続撮影モードとを切り替える場合に、前記信号抽出部の動作モードを切り替える
ことを特徴としている。
【発明の効果】
【００１８】
本発明に従うと、より安定して放射線画像におけるノイズの発生を抑制することができるという効果がある。
【図面の簡単な説明】
【００１９】
【図１】放射線画像撮影装置の外観を示す斜視図である。
【図２】放射線画像撮影装置の構成を示すブロック図である。
【図３】一の放射線検出素子と、読み出しＩＣのうち当該一の放射線検出素子に対応する部分の構成を示すブロック図である。
【図４】リセット処理における動作を説明するタイミングチャートである。
【図５】読み出し処理における動作を説明するタイミングチャートである。
【図６】電源回路におけるＤＣ−ＤＣコンバーターの構成及び動作を説明する図である。
【図７】ＣＤＳにおける周波数に応じた信号の利得の例を示す図である。
【図８】切替周波数の設定に用いられるテーブルデータの例を示す図である。
【図９】放射線画像撮影処理の制御手順を示すフローチャートである。
【図１０】変形例１に係る放射線画像撮影処理の制御手順を示すフローチャートである。
【発明を実施するための形態】
【００２０】
以下、本発明の放射線画像撮影装置に係る実施の形態を図面に基づいて説明する。
【００２１】
図１は、本発明の実施形態である放射線画像撮影装置の外観を示す斜視図である。
放射線画像撮影装置１は、放射線検出素子７（図２）が配列されたセンサーパネルや、放射線画像撮影装置１の各部の動作を制御する制御回路等が筐体２内に収納されて構成されている。筐体２の一方の側面には、電源スイッチ２５、放射線画像撮影装置１の撮影モードの切り替えを行うための切替スイッチ２６、外部機器との有線通信に用いられるコネクター２７、バッテリー状態や放射線画像撮影装置１の稼働状態等を表示するＬＥＤ等で構成されたインジケーター２８、等が設けられている。また、筐体２の反対側の側面には、外部機器との無線通信に用いられるアンテナ２９（図２）が設けられている。
【００２２】
図２は、放射線画像撮影装置１の構成を示すブロック図である。放射線画像撮影装置１は、放射線検出部３と、走査線駆動回路１５と、読み出しＩＣ１６と、制御部２２（画像データ生成部）と、記憶部２３と、電源回路２４（電圧変換部）と、通信部３０などを備える。
【００２３】
放射線検出部３は、図２の左右方向（第１の方向）に延在するように形成された複数の走査線５と、図１の上下方向（第２の方向）に延在するように形成された複数の信号線６と、複数の信号線６及び複数の信号線６の交差に対応する位置に設けられ二次元マトリクス状に配列された複数の放射線検出素子７とを有する。走査線５、信号線６及び放射線検出素子７は、例えば基材であるガラス基板上に形成される。なお、複数の放射線検出素子７は、マトリクス状に代えて、例えばハニカム状といった他の態様で二次元配列されていても良い。
【００２４】
放射線検出素子７は、当該放射線検出素子７の形成領域に入射した放射線の量に応じた電荷を発生させる。放射線検出素子７は、例えばｐｉｎ型のフォトダイオードにより構成することができる。また、放射線検出素子７としては、放射線検出素子７の放射線入射側に設けられた図示略のシンチレーターにより放射線を可視光の波長域の電磁波に変換し、当該電磁波の量を検出する方式のものを用いても良いし、放射線を直接検出して電荷を発生させる方式のものを用いても良い。
【００２５】
各放射線検出素子７は、薄膜トランジスター８（Thin Film Transistor。以下、ＴＦＴと記す。）を介して一つの走査線５及び一つの信号線６に接続されている。即ち、ＴＦＴ８のソースＳに放射線検出素子７の第１電極７ａが接続されているとともに、ＴＦＴ８のゲートＧが走査線５に、またドレインＤが信号線６にそれぞれ接続されている。また、放射線検出素子７の第２電極７ｂは、バイアス線９に接続されており、バイアス線９に接続された結線１０を介して電源回路２４から逆バイアス電圧が印加されるようになっている。
【００２６】
複数の走査線５は、走査線駆動回路１５に接続されている。走査線駆動回路１５は、複数の走査線５に対して、所定の選択周期で順にオン電圧（選択信号）を供給して走査線５を順番に選択する。また、走査線駆動回路１５は、選択していない走査線５に対しては、オフ電圧を供給する。
走査線５にオン電圧が供給されると、当該走査線５にゲートＧが接続されたＴＦＴ８のソースＳ−ドレインＤ間が導通状態となり（以下では、この状態をオン状態とも記す。）、放射線検出素子７内に蓄積された電荷が信号線６に放出されることにより、放射線検出素子７から画素信号が出力される。この後、走査線５にオフ電圧が供給されると、ＴＦＴ８のソースＳ−ドレインＤ間が非導通状態となり、放射線検出素子７内で発生した電荷が放射線検出素子７内に蓄積される。
【００２７】
ここで、本実施形態の走査線駆動回路１５は、放射線画像撮影装置１の撮影モード等に応じて異なる選択周期で走査線５を順番に選択する。例えば、放射線画像撮影装置１の撮影モードが、静止画の放射線画像を撮影する静止画撮影モードである場合には、第１の選択周期Ｔｇ１で走査線５を選択し、放射線画像撮影装置１の撮影モードが、放射線画像を連続して生成する連続撮影モードである場合には、第２の選択周期Ｔｇ２（＜Ｔｇ１）で走査線を選択する。これにより、連続撮影モードにおいて生成される動画のフレームレートを増大させることができる。
なお、走査線駆動回路１５による走査線５の選択周期は、上記第１及び第２の選択周期に限られない。例えば、放射線画像撮影装置１の撮影モードが連続撮影モードである場合における選択周期は、放射線画像撮影装置１において生成される放射線画像のフレームレートに応じて互いに異なる値とされても良い。
【００２８】
読み出しＩＣ１６は、複数の信号線６に対応する複数の読み出し回路１７と、アナログマルチプレクサー２０と、Ａ／Ｄ変換器２１とを備える。このうち複数の読み出し回路１７の各々は、対応する一つの信号線６に接続されており、増幅回路１８と、相関二重サンプリング回路１９（信号抽出部）（以下では「ＣＤＳ１９（Correlated Double Sampling）」と記す。）とを有する。
増幅回路１８は、放射線検出素子７から放出された電荷に応じた電圧信号をＣＤＳ１９に出力する。
ＣＤＳ１９は、増幅回路１８から出力された電圧信号を相関二重サンプリングにより抽出（サンプリング）し、アナログ信号の画素データとしてアナログマルチプレクサー２０に出力する。
アナログマルチプレクサー２０は、ＣＤＳ１９により出力された画素データを、Ａ／Ｄ変換器２１に順次送信する。
Ａ／Ｄ変換器２１は、入力されたアナログ信号の画素データをデジタル信号の画素データに変換して制御部２２に出力する。
【００２９】
図３は、一の放射線検出素子７と、読み出しＩＣ１６のうち当該一の放射線検出素子７に対応する部分の構成を示すブロック図である。なお、図３中では、アナログマルチプレクサー２０は省略されている。
【００３０】
本実施形態では、増幅回路１８は、電源回路２４から供給される電源電圧で動作するオペアンプ１８ａと、オペアンプ１８ａに並列に設けられたコンデンサー１８ｂと、コンデンサー１８ｂの電極間の導通及び非導通を切り替える電荷リセット用スイッチ１８ｃと、オペアンプ１８ａとＣＤＳ１９との導通及び非導通を切り替えるスイッチ１８ｄとを有するチャージアンプ回路で構成されている。オペアンプ１８ａの入力側の反転入力端子には、信号線６が接続されている。
【００３１】
増幅回路１８の電荷リセット用スイッチ１８ｃは、制御部２２によりオン／オフが制御されるようになっている。また、スイッチ１８ｄは、電荷リセット用スイッチ１８ｃと連動するように切り替えられ、電荷リセット用スイッチ１８ｃがオン状態となっているときにオフ状態となり、電荷リセット用スイッチ１８ｃがオフ状態となっているときにオン状態となるように制御部２２により制御される。
【００３２】
放射線画像撮影装置１では、放射線検出素子７内に残存する電荷を除去するための各放射線検出素子７のリセット処理を行う場合には、図４に示されるように、電荷リセット用スイッチ１８ｃがオン状態（従って、スイッチ１８ｄがオフ状態）とされた状態で、各ＴＦＴ８がオン状態とされる。すると、オン状態とされた各ＴＦＴ８を介して放射線検出素子７から電荷が信号線６に放出され、増幅回路１８の電荷リセット用スイッチ１８ｃを通過してオペアンプ１８ａの出力端子側からオペアンプ１８ａ内を通り、非反転入力端子から出てアースされたり、オペアンプ１８ａに接続された電源回路２４に流出したりする。このようにして、各放射線検出素子７のリセット処理が行われる。
【００３３】
また、放射線検出素子７からの画素信号の読み出し処理を行う場合には、図５（ａ）に示されるように、増幅回路１８の電荷リセット用スイッチ１８ｃがオフ状態（従って、スイッチ１８ｄがオン状態）とされた状態で、オン状態とされたＴＦＴ８を介して放射線検出素子７から電荷が信号線６に放出され、電荷が増幅回路１８のコンデンサー１８ｂに蓄積される。
【００３４】
増幅回路１８では、コンデンサー１８ｂに蓄積された電荷量に応じた電圧値がオペアンプ１８ａの出力端子から出力される。即ち、増幅回路１８では、放射線検出素子７から流出した電荷量が、電圧信号に変換される。
【００３５】
増幅回路１８の出力側に設けられたＣＤＳ１９は、制御部２２からのパルス信号Ｓｐ１（図５）の入力に応じて、上述したリセット処理の後、かつ放射線検出素子７から電荷が流出する前の時点において増幅回路１８から出力されている電圧値Ｖ１を、図示略の第１のサンプルホールド回路により保持する。また、その後、制御部２２からのパルス信号Ｓｐ２（図５）の入力に応じて、上述した読み出し処理により放射線検出素子７から流出した電荷が増幅回路１８のコンデンサー１８ｂに蓄積された後の時点において増幅回路１８から出力されている電圧値Ｖ２を図示略の第２のサンプルホールド回路により保持する。そして、ＣＤＳ１９は、第１及び第２のサンプルホールド回路により保持された電圧値の差分Ｖ２−Ｖ１を算出し、当該差分Ｖ２−Ｖ１をアナログ値の画素データとして後段の回路（図２のアナログマルチプレクサー２０）に出力する。
このように、ＣＤＳ１９は、放射線検出素子７から出力された画素信号を相関二重サンプリングにより抽出する。以下では、パルス信号Ｓｐ１及びパルス信号Ｓｐ２が入力される時間間隔を、相関二重サンプリングのサンプリング間隔とも記す。
【００３６】
ここで、本実施形態のＣＤＳ１９は、放射線画像撮影装置１の撮影モード等に応じて異なる複数の動作モードで動作する。即ち、ＣＤＳ１９は、放射線画像撮影装置１の撮影モードが静止画撮影モードである場合には、図５（ａ）に示されるように、サンプリング間隔がＴｃ１である第１の動作モードで動作し、放射線画像撮影装置１の撮影モードが連続撮影モードである場合には、図５（ｂ）に示されるように、サンプリング間隔がＴｃ２（＜Ｔｃ１）である第２の動作モードで動作する。
なお、ＣＤＳ１９の動作モードは、上記第１及び第２の動作モードに限られない。例えば、放射線画像撮影装置１の撮影モードが連続撮影モードである場合におけるＣＤＳ１９の動作モードは、放射線画像撮影装置１において生成される放射線画像のフレームレートに応じてサンプリング間隔が互いに異なる２以上の動作モードから、当該フレームレートに対応して選択されても良い。
【００３７】
制御部２２は、ＣＰＵ（Central Processing Unit）、ＲＡＭ（Random Access Memory）、ＲＯＭ（Read Only Memory）及びこれらを接続するバスなどを備える。ＣＰＵは、ＲＯＭに記憶された各種制御用のプログラムや設定データを読み出してＲＡＭに記憶させ、当該プログラムを実行して各種演算処理を行う。また、ＣＰＵは、走査線駆動回路１５、読み出しＩＣ１６、記憶部２３、電源回路２４といった放射線画像撮影装置１の各部の動作を統括制御する。ＲＡＭは、ＣＰＵに作業用のメモリー空間を提供し、一時データを記憶する。ＲＯＭは、ＣＰＵにより実行される各種制御用のプログラムや設定データ等を格納する。この設定データとしては、ＣＤＳ１９におけるサンプリング間隔及び走査線５の選択周期と、ＤＣ−ＤＣコンバーター２４ａの切替周波数とが対応付けられて記憶された後述するテーブルデータが含まれる。なお、ＲＯＭに代えてＥＥＰＲＯＭ（Electrically Erasable Programmable Read Only Memory）やフラッシュメモリー等の書き換え可能な不揮発性メモリーが用いられても良い。また、制御部２２は、ＦＰＧＡ（Field Programmable Gate Array）により構成されても良い。
【００３８】
記憶部２３は、制御部２２に接続され、読み出しＩＣ１６から制御部２２に出力された画素データからなる放射線画像の画像データが記憶される。記憶部２３としては、例えばＳＲＡＭ（Static Random Access Memory）やＳＤＲＡＭ（Synchronous Dynamic Random Access Memory）などが用いられる。
【００３９】
電源回路２４は、放射線画像撮影装置１の外部に設けられた外部電源４０に接続され、外部電源４０から入力された直流電圧をＤＣ−ＤＣコンバーターにより複数の所定の電源電圧に変換して走査線駆動回路１５、読み出しＩＣ１６、制御部２２、記憶部２３等の各部に供給する。なお、外部電源４０に代えて、放射線画像撮影装置１の内部に設けられたバッテリーや電池が用いられても良い。
【００４０】
図６は、電源回路２４におけるＤＣ−ＤＣコンバーター２４ａの構成及び動作を説明する図である。
図６（ａ）に示されるＤＣ−ＤＣコンバーター２４ａは、三角波発振回路２４１と、三角波発振回路２４１の出力が一方の入力端子に入力されるコンパレーター２４２と、コンパレーター２４２の出力電圧に応じてオン／オフ動作するスイッチング素子としてのＴＦＴ２４３と、ＴＦＴ２４３のドレインと接地電位との間に設けられたダイオード２４４と、ＴＦＴ２４３のドレインに一端が接続されたコイル２４５と、コイル２４５の他端と接地電位との間に直列に設けられた抵抗２４６，２４７とを備える。ＴＦＴ２４３のソースには、外部電源４０から直流電圧が入力される。また、コンパレーター２４２の他方の入力端子には、コイル２４５の他端の電圧を抵抗２４６，２４７により分圧した電圧が入力される。また、三角波発振回路２４１の発振周波数は、制御部２２により制御される。
コンパレーター２４２は、三角波発振回路２４１から出力される電圧の値に応じてＴＦＴ２４３をオン状態とする電圧及びオフ状態とする電圧を交互に出力する。
ＴＦＴ２４３がオン状態となっている場合には、外部電源４０からコイル２４５に流れる電流によりコイルにエネルギーが蓄えられ、ＴＦＴ２４３がオフ状態となると、コイル２４５の誘導起電力による誘導電流がダイオード２４４及びコイル２４５を流れる。ＤＣ−ＤＣコンバーター２４ａでは、この動作が繰り返されることにより、ＴＦＴ２４３がオフ状態となっている期間の割合に応じて入力電圧が降圧されて出力端子から出力される。
【００４１】
図６（ｂ）は、コンパレーター２４２からＴＦＴ２４３のゲートに出力される信号を示す図である。このように、コンパレーター２４２からは、三角波発振回路の発振周波数に対応する切替周波数の矩形波が出力される。本実施形態では、三角波発振回路２４１の発振周波数は、制御部２２により制御され、当該制御に従ってＤＣ−ＤＣコンバーター２４ａにおける切替周波数が変更される。
また、電源回路２４は、出力する電源電圧の種類に対応する数のＤＣ−ＤＣコンバーター２４ａを備える。なお、電源回路２４では、昇圧型のＤＣ−ＤＣコンバーターが用いられても良い。また、チャージポンプ等の他の方式のＤＣ−ＤＣコンバーターが用いられても良い。
【００４２】
通信部３０は、アンテナ２９を介して外部と無線方式を行い、またコネクター２７を介して外部と有線通信を行う。放射線画像撮影装置１では、通信部３０を介して、生成された放射線画像の画像データの送信や、放射線画像撮影装置１の動作を指示する制御命令の受信が行われる。
【００４３】
次に、放射線画像撮影装置１における電源回路２４の切替周波数の調整について説明する。
放射線画像撮影装置１では、ＣＤＳ１９における相関二重サンプリングのサンプリング間隔に応じて、ＣＤＳ１９における周波数に応じた信号の利得が変動する。このため、撮影モードの切り替え等によってＣＤＳ１９におけるサンプリング間隔が変更されると、変更後のサンプリング間隔によっては、電源回路２４のＤＣ−ＤＣコンバーター２４ａの動作に起因して生じる切替周波数のノイズがＣＤＳ１９において増幅される。この結果、ＣＤＳ１９において抽出された信号に含まれる切替周波数のノイズが増大して放射線画像の画質が低下してしまう。
そこで、本実施形態の放射線画像撮影装置１では、ＣＤＳ１９におけるノイズの発生が抑制されるようにＤＣ−ＤＣコンバーター２４ａの切替周波数が調整される。以下では、この切替周波数の調整方法について説明する。
【００４４】
ＣＤＳ１９における周波数Ｆの信号の利得ｇは、相関二重サンプリングのサンプリング間隔をＴｃとして下記の式（１）により表される。
ｇ＝［２−２ｃｏｓ｛２π（Ｆ×Ｔｃ）｝］＾（１／２）…（１）
式（１）に示されるように、利得ｇは、周波数Ｆとサンプリング間隔Ｔｃとの積が整数となる場合に、ＣＤＳ１９における差分Ｖ２−Ｖ１の算出時に信号がキャンセルされることに起因して最小値（０）となる。他方で、利得ｇは、周波数Ｆとサンプリング間隔Ｔｃとの積が１／２の奇数倍となる場合に最大値（２）となる。
【００４５】
図７は、ＣＤＳ１９における周波数に応じた信号の利得の例を示す図である。図７（ａ）は、放射線画像撮影装置１が静止画撮影モードである場合における利得を示し、図７（ｂ）は、放射線画像撮影装置１が連続撮影モードである場合における利得を示す。本実施形態の静止画撮影モードでは、サンプリング間隔Ｔｃが１７５［μｓ］に設定され、連続撮影モードでは、サンプリング間隔Ｔｃが３１．６［μｓ］に設定される。また、静止画撮影モードでは、走査線５の選択周期Ｔｇが２８０［μｓ］に設定され、連続撮影モードでは、走査線５の選択周期Ｔｇが５０［μｓ］に設定される。
【００４６】
図７（ａ）に示されるように、放射線画像撮影装置１が静止画撮影モードとなっている場合のＣＤＳ１９における利得ｇは、周波数Ｆに対して０と２との間で周期的に変動し、周波数Ｆが１／１７５［μｓ］≒５．７［ｋＨｚ］の整数倍となる場合に０となる。このため、ＤＣ−ＤＣコンバーター２４ａにおける切替周波数を、図７（ａ）において利得ｇが１未満となる範囲（例えば、図７（ａ）における周波数範囲Ｒ１ａ，Ｒ１ｂ，Ｒ１ｃ等）内で調整することにより、ＤＣ−ＤＣコンバーター２４ａの動作により発生する切替周波数のノイズを、ＣＤＳ１９において低減させることができる。特に、切替周波数を利得ｇが０となる周波数、即ち５．７［ｋＨｚ］の整数倍とすることにより、切替周波数のノイズを最も効果的に低減させることができる。
【００４７】
また、本実施形態では、切替周波数は、走査線５の選択周期Ｔｇに係るナイキスト周波数Ｆｎ＝１／（２Ｔｇ）よりも大きい周波数の範囲内で調整される。切替周波数をナイキスト周波数Ｆｎよりも大きくすることにより、選択周期Ｔｇで切替周波数のノイズが画素信号に混入（サンプリング）される際に、ナイキスト周波数を超える周波数成分に折り返し（エイリアシング）が生じるため、画素信号に混入した上記ノイズの空間周波数をナイキスト周波数Ｆｎに対応する周波数未満に抑制することができる。
本実施形態では、静止画撮影モードにおけるナイキスト周波数Ｆｎ１は、１／（２×２８０［μｓ］）≒１．８［ｋＨｚ］であり、この周波数よりも大きい周波数の範囲で切替周波数が調整される。
【００４８】
また、図７（ｂ）に示されるように、放射線画像撮影装置１が連続撮影モードとなっている場合のＣＤＳ１９における利得ｇは、周波数Ｆが１／３１．６［μｓ］≒３１．６［ｋＨｚ］の整数倍となる場合に０となる。連続撮影モードにおいても、利得ｇが１未満であり、かつナイキスト周波数Ｆｎ２（Ｆｎ２＝１／（２×５０）＝１０［ｋＨｚ］）よりも大きい範囲（例えば、図７（ｂ）における周波数範囲Ｒ２等）内で切替周波数が調整される。特に、切替周波数を利得ｇが０となる周波数、即ち３１．６［ｋＨｚ］の整数倍とすることにより、切替周波数のノイズを最も効果的に低減させることができる。
【００４９】
図８は、切替周波数の設定に用いられるテーブルデータの例を示す図である。
このテーブルデータでは、放射線画像撮影装置１の複数の撮影モード（静止画撮影１，２、連続撮影１，２，…，ｍ）の各々において設定されるＣＤＳ１９のサンプリング間隔（ａ１，ａ２，…，ａｎ）及び走査線５の選択周期（ｂ１，ｂ２，…，ｂｎ）に対して、上記の方法により決定された最適なＤＣ−ＤＣコンバーター２４ａの切替周波数が対応付けられている。また、このテーブルデータは、制御部のＲＯＭに記憶され、撮影モードの切り替えが行われる場合にＣＰＵにより参照されて、切り替え後の撮影モードにおけるサンプリング間隔、選択周期及び切替周波数の設定に用いられる。
【００５０】
なお、図８に示されるように２種類の静止画撮影モード（静止画撮影１，２）が設けられる例としては、放射線画像撮影装置１を外部の放射線照射装置における放射線照射開始動作と連携させて撮影動作を開始させる場合（連携時）と、外部の放射線照射装置とは連携させずに、入射した放射線量を検知して撮影動作を開始させる場合（非連携時）とで放射線画像撮影装置１の動作設定を異ならせる場合が挙げられる。この例では、非連携時において放射線の曝射を検出する間隔を空けて感度を高めるために、ＣＤＳ１９のサンプリング間隔や走査線５の選択周期が、連携時に対して相対的に大きい値に設定される。
また、複数の連続撮影モード（動画撮影１，２，…，ｍ）が設けられる例としては、連続撮影時に生成される放射線画像のフレームレートの大きさに応じて放射線画像撮影装置１の動作設定を異ならせる場合が挙げられる。この例では、フレームレートが大きいほどＣＤＳ１９のサンプリング間隔や走査線５の選択周期が小さい値に設定される。
なお、図８は、テーブルデータの一例を示すものであってこれに限定されず、少なくとも２つの切替周波数が定められているものであれば良い。例えば、放射線画像撮影装置１の撮影モードは、２つ（例えば、一つの静止画撮影モード及び一つの連続撮影モード）又は３つ以上の任意の数とすることができる。また、同一の撮影モードに対して、撮影モード以外のパラメーターに応じて、サンプリング間隔及び選択周期のうち少なくともサンプリング間隔が異なる２つの設定を用意し、当該設定ごとに切替周波数が定められていても良い。
【００５１】
続いて、放射線画像撮影装置１により実行される放射線画像撮影処理の制御部２２による制御手順について説明する。ここでは、上述した連携時における処理を例に挙げて説明する。
【００５２】
図９は、放射線画像撮影処理の制御手順を示すフローチャートである。
放射線画像撮影処理が開始されると、制御部２２は、撮影モードの設定の入力を受け付ける（ステップＳ１０１）。撮影モードの設定の入力は、例えば、切替スイッチ２６による入力操作により行われる。
【００５３】
制御部２２は、撮影モードの設定の入力が行われたか否かを判別し（ステップＳ１０２）、撮影モードの設定の入力が行われていないと判別された場合には（ステップＳ１０２で“ＮＯ”）、処理をステップＳ１０５に移行させる。
【００５４】
撮影モードの設定の入力が行われたと判別された場合には（ステップＳ１０２で“ＹＥＳ”）、制御部２２は、記憶部２３に記憶されたテーブルデータから、切り替え後の撮影モードに対応する切替周波数を取得する（ステップＳ１０３）。また、制御部２２は、ＤＣ−ＤＣコンバーター２４ａにおける切替周波数の設定を変更し、ステップＳ１０３で取得された切替周波数でＤＣ−ＤＣコンバーター２４ａを動作させる（ステップＳ１０４）。
【００５５】
ステップＳ１０４の処理が終了すると、制御部２２は、外部の制御装置から通信部３０を介して撮影開始命令が入力されたか否かを判別し（ステップＳ１０５）、撮影開始命令が入力されていないと判別された場合には（ステップＳ１０５で“ＮＯ”）、処理をステップＳ１０１に移行させる。
【００５６】
撮影開始命令が入力されたと判別された場合には（ステップＳ１０５で“ＹＥＳ”）、制御部２２は、放射線画像の撮影を行う（ステップＳ１０６）。即ち、制御部２２は、放射線検出素子７のリセット処理を完了させ、全ての走査線５に対してオフ電圧を供給させて、放射線検出素子７内において放射線量に応じた電荷を蓄積させる。続いて、制御部２２は、上述した読み出し処理を実行し、放射線検出素子７から出力された画素信号を抽出して放射線画像の画像データを生成する。制御部２２は、撮影モードの設定に応じて、生成された画像データを記憶部２３に記憶させ、また通信部３０を介して外部に出力する。
ステップＳ１０６において、撮影モードの設定に応じた枚数の放射線画像の撮影が終了すると、制御部２２は、放射線画像撮影処理を終了させる。
【００５７】
（変形例１）
次に、上記実施形態の変形例１について説明する。この変形例では、切替周波数の調整においてテーブルデータを参照せず、放射線画像撮影装置１の撮影モードに対応して設定されたサンプリング間隔及び走査線５の選択周期から直接切替周波数を算出する点で上記実施形態と異なる。その他の点は上記実施形態と同様であるため、以下では上記実施形態との差異点について説明する。
【００５８】
図１０は、本変形例に係る放射線画像撮影処理の制御手順を示すフローチャートである。このフローチャートは、上記実施形態に係る図９のフローチャートにおけるステップＳ１０３をステップＳ１０３ａに変更し、ステップＳ１０７を追加したものである。以下では、図９と同一のステップについては説明を省略する。
【００５９】
本変形例の放射線画像撮影処理では、撮影モードの設定の入力がなされると（ステップＳ１０２で“ＹＥＳ”）、制御部２２は、切り替え後の撮影モードにおいて、現在の切替周波数に対するＣＤＳ１９の利得ｇが１以上であるか否かを判別する（ステップＳ１０７）。即ち、制御部２２は、上記の式（１）におけるＴｃを、切り替え後の撮影モードに係るサンプリング間隔とし、また式（１）におけるＦを、現在の設定に係る切替周波数とした場合の利得ｇが１以上であるか否かを判別する。当該利得ｇが１未満であると判別された場合には（ステップＳ１０７で“ＮＯ”）、制御部２２は、処理をステップＳ１０５に移行させる。
【００６０】
上記利得ｇが１以上であると判別された場合には（ステップＳ１０７で“ＹＥＳ”）、制御部２２は、切り替え後の撮影モードに対応して設定されているサンプリング間隔及び走査線５の選択周期に基づいて、ＣＤＳ１９における利得ｇが１未満となる切替周波数を算出する（ステップＳ１０３ａ）。即ち、制御部２２は、上記の式（１）におけるＴｃを、切り替え後の撮影モードに係るサンプリング間隔とした場合において、利得ｇが１未満となり、かつ走査線５の選択期間に係るナイキスト周波数よりも大きい周波数Ｆを算出する。典型的には、上記条件を満たし利得ｇが０となるような最小の周波数Ｆを算出する。そして、制御部２２は、ＤＣ−ＤＣコンバーター２４ａにおける切替周波数の設定を変更し、ステップＳ１０３ａで算出された切替周波数でＤＣ−ＤＣコンバーター２４ａを動作させる（ステップＳ１０４）。
【００６１】
（変形例２）
次に、上記実施形態の変形例２について説明する。この変形例では、放射線画像撮影装置１において設定され得る全ての撮影モードにおいて、切替周波数に対するＣＤＳ１９の利得が１未満となり、かつ切替周波数が走査線５の選択周期に係るナイキスト周波数よりも大きくなるように、予め一の切替周波数が設定され、ＤＣ−ＤＣコンバーター２４ａは、各撮影モードにおいて当該一の切替周波数で動作する。即ち、ＤＣ−ＤＣコンバーター２４ａは、ＣＤＳ１９の動作モードに関わらず同一の切替周波数で動作する。その他の点は、上記実施形態と同様である。
【００６２】
ここでは、放射線画像撮影装置１の撮影モードが、一つの静止画撮影モード及び一つの連続撮影モードのみであり、静止画撮影モードでのＣＤＳ１９における信号の利得ｇが図７（ａ）により表され、連続撮影モードでのＣＤＳ１９における信号の利得ｇが図７（ｂ）により表される場合を例に挙げて説明する。
【００６３】
この場合には、静止画撮影モードのナイキスト周波数Ｆｎ１及び連続撮影モードのナイキスト周波数Ｆｎ２の何れよりも大きく、かつ静止画撮影モード及び連続撮影モードにおける利得ｇが何れも１未満となるような周波数範囲、即ち図７（ａ）における周波数範囲Ｒ１ｂ，Ｒ１ｃから上記一の切替周波数が設定される。この切替周波数は、例えば、図７（ａ）における利得ｇが０となるような周波数に設定される。あるいは、静止画撮影モード及び連続撮影モードにおける利得ｇが等しくなるような周波数に設定されても良い。
【００６４】
以上のように、本実施形態に係る放射線画像撮影装置１は、入射した放射線量に応じた画素信号を各々出力する二次元配列された複数の放射線検出素子７を有する放射線検出部３と、複数の放射線検出素子７から出力された画素信号を相関二重サンプリングにより抽出するＣＤＳ１９と、直流電圧が入力される回路の構成を所定の切替周波数で切り替えることにより、入力された直流電圧を所定の電源電圧に変換して出力する電源回路２４と、相関二重サンプリングにおけるサンプリング間隔が互いに異なる複数の動作モードでＣＤＳ１９を動作させ、ＣＤＳ１９が複数の動作モードのうち何れの動作モードで動作している期間においても、当該期間における切替周波数に対するＣＤＳ１９の利得を１未満に制御する制御部２２と、を備える。
このような構成によれば、ＣＤＳ１９におけるサンプリング間隔によらず、切替周波数に対するＣＤＳ１９の利得が１未満となるため、ＣＤＳ１９が何れの動作モードで動作している場合においても、ＣＤＳ１９において、電源回路２４の動作に起因して生じる切替周波数のノイズを低減させることができる。この結果、放射線画像撮影装置１により生成される放射線画像におけるノイズの発生を、より安定して抑制することができる。
【００６５】
また、放射線検出部３は、第１の方向に延在する複数の走査線５、及び第１の方向と交差する第２の方向に延在する複数の信号線６を有し、複数の放射線検出素子７の各々は、複数の走査線５の何れか一つ及び複数の信号線６の何れか一つと接続され、制御部２２は、ＣＤＳ１９の動作モードに対応する選択周期で複数の走査線５に対して順にオン電圧を供給することにより、当該オン電圧が供給された走査線５に接続されている放射線検出素子７から信号線６に画素信号を出力させ、ＣＤＳ１９が一の動作モードで動作している期間における切替周波数は、一の動作モードに対応する選択周期に係るナイキスト周波数よりも大きい。これにより、上記選択周期で切替周波数のノイズが画素信号に混入（サンプリング）される際に、ナイキスト周波数を超える周波数成分に折り返し（エイリアシング）が生じるため、画素信号に混入した上記ノイズの空間周波数をナイキスト周波数に対応する周波数未満に抑制することができる。この結果、放射線画像におけるノイズをより低減させ、また視認されにくくすることができる。
【００６６】
また、制御部２２は、ＣＤＳ１９を複数の動作モードのうち何れの動作モードで動作させる場合においても、電源回路２４により同一の切替周波数で回路の構成の切り替えを行わせる。このような構成によれば、撮影モードの切り替え等に従ってＣＤＳ１９の動作モードを切り替える場合に、電源回路２４において切替周波数を変更することなく放射線画像におけるノイズの発生を安定して抑制することができる。よって、より簡易な制御により放射線画像におけるノイズの発生を抑制することができる。
【００６７】
また、制御部２２は、ＣＤＳ１９の動作モードを切り替える場合に、切り替え後の動作モードにおける利得が１未満となるように電源回路２４における切替周波数を調整する。これにより、ＣＤＳ１９の動作モードの切り替えに応じて、ノイズを低減させることが可能な適切な切替周波数で電源回路２４を動作させることができる。よって、ＣＤＳ１９が複数の動作モードにおいて多数の異なるサンプリング間隔で動作する場合においても、安定して放射線画像におけるノイズの発生を抑制することができる。
【００６８】
また、制御部２２は、ＣＤＳ１９の動作モードを切り替える場合に、切り替え後の動作モードにおける利得が１未満となり、かつ、切替周波数が、切り替え後の動作モードに対応する選択周期に係るナイキスト周波数よりも大きくなるように、電源回路２４における切替周波数を調整する。このような構成によれば、ＣＤＳ１９が複数の動作モードにおいて多数の異なるサンプリング間隔で動作する場合においても、安定して放射線画像におけるノイズをより低減させ、また視認されにくくすることができる。
【００６９】
また、複数の動作モードに対応付けられて予め定められた複数の切替周波数を記憶する記憶部２３を備え、制御部２２は、ＣＤＳ１９の動作モードを切り替える場合に、記憶部２３を参照して、切り替え後の動作モードに対応付けられた切替周波数を選択する。これにより、ＣＤＳ１９の動作モードの切り替え時に、簡易な処理によりノイズを低減できる適切な切替周波数を選択して電源回路２４を動作させることができる。
【００７０】
また、制御部２２は、切り替え後の動作モードにおけるサンプリング間隔に基づいて、当該切り替え後の動作モードにおける利得が１未満となる切替周波数を算出する。これにより、ＣＤＳ１９におけるサンプリング間隔に応じて、ノイズを低減できる適切な切替周波数を設定することができる。
【００７１】
また、制御部２２は、ＣＤＳ１９が切り替え前の動作モードで動作している期間における切替周波数に対し、切り替え後の動作モードにおける利得を算出し、当該算出された利得が１以上である場合に、切り替え後の動作モードにおける利得が１未満となる切替周波数を算出する。これによれば、切替後の動作モードで動作するＣＤＳ１９において切替周波数のノイズが低減されない場合にのみ、切替周波数の調整が行われる。よって、切替周波数の調整頻度を低減させることができる。
【００７２】
また、制御部２２は、切り替え後の動作モードにおけるサンプリング間隔と切替周波数との積が整数に近付くように切替周波数を調整する。これにより、切り替え後の動作モードで動作するＣＤＳ１９において、切替周波数の利得を０に近付けることができる。この結果、放射線画像におけるノイズの発生をより効果的に抑制することができる。
【００７３】
また、制御部２２は、切り替え後の動作モードにおけるサンプリング間隔、及び当該切り替え後の動作モードに対応する選択周期に基づいて、当該切り替え後の動作モードに対応する切替周波数を算出する。これにより、ＣＤＳ１９におけるサンプリング間隔及び走査線５の選択周期に応じて、ノイズを低減できる適切な切替周波数を設定することができる。
【００７４】
また、制御部２２は、ＣＤＳ１９による画素信号の抽出結果に基づいて放射線画像の画像データを生成し（画像データ生成部）、静止画の放射線画像の画像データを生成する静止画撮影モードにおいて、複数の動作モードのうち所定の第１の動作モードでＣＤＳ１９を動作させ、放射線画像の画像データを連続して生成する連続撮影モードにおいて、複数の動作モードのうちサンプリング間隔が第１の動作モードにおけるサンプリング間隔よりも小さい第２の動作モードでＣＤＳ１９を動作させ、静止画撮影モードと連続撮影モードとを切り替える場合に、ＣＤＳ１９の動作モードを切り替える。このような構成により、静止画撮影モード及び連続撮影モードの双方において、安定して放射線画像におけるノイズの発生を抑制することができる。
【００７５】
なお、本発明は、上記実施形態及び各変形例に限られるものではなく、様々な変更が可能である。
例えば、上記実施形態及び各変形例では、切替周波数に対するＣＤＳ１９の利得ｇが１未満となるように切替周波数を設定する例を用いて説明したが、これに限定する趣旨ではなく、１未満の所定の上限利得以下となるように切替周波数を設定しても良い。このような上限利得は、特には限られないが、例えばノイズを３０％以下に低減可能となる「０．３」とすることができる。
【００７６】
また、上記実施形態及び各変形例では、切替周波数に対するＣＤＳ１９の利得ｇが所定の上限利得以下となり、かつ走査線５の選択周期に係るナイキスト周波数よりも大きくなるように切替周波数が設定される例を用いて説明したが、これに限定する趣旨ではない。例えば、切替周波数に対するＣＤＳ１９の利得ｇが所定の上限利得以下となる条件のみを考慮して切替周波数を設定しても良い。
【００７７】
また、上記実施形態及び各変形例では、センサーパネルが筐体内に収納されて持ち運び可能とされた、いわゆる可搬型の放射線画像撮影装置を例に挙げて説明したが、これに限定する趣旨ではなく、例えば、撮影室に設置され、支持台等と一体的に形成された放射線画像撮影装置に対しても本発明を適用することができる。
【００７８】
本発明のいくつかの実施形態を説明したが、本発明の範囲は、上述の実施の形態に限定されるものではなく、特許請求の範囲に記載された発明の範囲とその均等の範囲を含む。
【符号の説明】
【００７９】
１  放射線画像撮影装置
３  放射線検出部
５  走査線
６  信号線
７  放射線検出素子
８  ＴＦＴ
１４  電源回路（電圧変換部）
１５  走査線駆動回路
１７  読み出し回路
１８  増幅回路
１９  ＣＤＳ（信号抽出部）
２０  アナログマルチプレクサー
２１  Ａ／Ｄ変換器
２２  制御部（画像データ生成部）
２３  記憶部
２４  電源回路
２４ａ  ＤＣ−ＤＣコンバーター
４０  外部電源
【図１】
0006662211.tif 000002
【図２】
0006662211.tif 000003
【図３】
0006662211.tif 000004
【図４】
0006662211.tif 000005
【図５】
0006662211.tif 000006
【図６】
0006662211.tif 000007
【図７】
0006662211.tif 000008
【図８】
0006662211.tif 000009
【図９】
0006662211.tif 000010
【図１０】
0006662211.tif 000011